(57)【要約】【課題】プラントで発生したすべてのイベントをメッセージデータとして表示あるいは再現し、プラントで発生する様々な事象の解析を容易に行うことである。【解決手段】プラントの監視制御を行う制御用計算機１１あるいはプラントのセンサで検出されたプラントデータを既定周期で取り込むデータ伝送手段２０と、データ伝送手段２０で取り込んだプラントデータの蓄積を行うデータ保存手段２１と、データ保存手段２１に蓄積したプラントデータからオペレータの設定した検索条件データに従いデータ検索を行うデータ検索手段２２と、データ検索手段での検索結果データから予め設定したイベント解釈条件データに従いイベントメッセージを作成するイベントデータ作成手段２３と、イベントデータ作成手段２３で作成されたイベントメッセージを表示出力する出力手段１９とを備える。【選択図】  図１
2009251777.tif 000002
【特許請求の範囲】
【請求項１】
プラントの監視制御を行う制御用計算機あるいはプラントのセンサで検出されたプラントデータを既定周期で取り込むデータ伝送手段と、前記データ伝送手段で取り込んだプラントデータの蓄積を行うデータ保存手段と、前記データ保存手段に蓄積したプラントデータからオペレータの設定した検索条件データに従いデータ検索を行うデータ検索手段と、前記データ検索手段での検索結果データから予め設定したイベント解釈条件データに従いイベントメッセージを作成するイベントデータ作成手段と、前記イベントデータ作成手段で作成されたイベントメッセージを表示出力する出力手段とを備えたことを特徴とするイベント記録表示装置。
【請求項２】
前記イベントデータ作成手段で作成したイベントメッセージをイベントデータ保存媒体に保存するイベントデータ保存手段を備えたことを特徴とする請求項１に記載のイベント記録表示装置。
【請求項３】
前記イベント解釈条件データを設定するためのイベント解釈条件設定手段を設け、前記イベント解釈条件設定手段は、前記イベント解釈条件データとして、メッセージデータをどの様に作成するかを指定するメッセージ作成条件と、プラントデータを演算処理する演算式を指定する演算条件と、単一または複数のプラントデータの状態変化を判断する基準を指定する警報条件とを設定することを特徴とする請求項１に記載のイベント記録表示装置。
【請求項４】
前記イベント解釈条件設定手段は、前記イベント解釈条件データとして、前記イベント作成条件、前記警報条件、前記演算条件を組み合わせた複合条件を設定することを特徴とする請求項３に記載のイベント記録表示装置。
【請求項５】
前記イベント解釈条件設定手段は、前記イベント解釈条件データとして、イベント発生の要因となるデータをイベントメッセージ中に組み込むためのメッセージ構成情報を設定することを特徴とする請求項３に記載のイベント記録表示装置。
【請求項６】
前記検索条件データは、前記データ保存手段に蓄積したプラントデータの検索開始時点を指定した検索基準点、前記プラントデータの検索周期を指定した検索周期条件、前記プラントデータの検索繰り返しを指定した検索繰り返し条件を含むことを特徴とする請求項１ないし５のいずれか１項に記載のイベント記録表示装置。
【請求項７】
前記イベント解釈条件設定手段は、前記イベント解釈条件データとして、複数のプラントから構成される事業場全体を統合したメッセージを作成するための統合条件を設定することを特徴とする請求項６に記載のイベント記録表示装置。
【請求項８】
プラントの監視制御を行う制御用計算機で算出されたログデータを既定周期で取り込むデータ伝送手段と、前記データ伝送手段で取り込んだログデータの蓄積を行うデータ保存手段と、前記データ保存手段に蓄積したログデータからオペレータの設定した検索条件データに従いデータ検索を行うデータ検索手段と、前記データ検索手段での検索結果データから予め設定したイベント解釈条件データに従いイベントメッセージを作成するイベントデータ作成手段とを備えたことを特徴とするイベント記録表示装置。
【請求項９】
前記イベント解釈条件設定手段は、前記イベント解釈条件データとして、あるイベントが成立した場合に次に連続して成立する一連のイベントを規定するシナリオ条件を設定することを特徴とする請求項４に記載のイベント記録表示装置。
【請求項１０】
前記イベント解釈条件設定手段は、前記イベント解釈条件データとして、プラントデータを予測演算処理する予測演算式を指定する予測演算条件を設定することを特徴とする請求項６に記載のイベント記録表示装置。
【請求項１１】
前記プラントデータに基づいてグラフデータを作成するグラフデータ作成手段と、前記出力手段の画面上に表示されたグラフの一部を指し示したマウスポインタからの入力を捉え検索条件データに入力点情報と時刻情報とを設定する入力手段とを設け、前記イベントデータ作成手段は、前記検索条件データに設定された入力点情報と時刻情報及びイベント解釈条件によりそのグラフで発生しているイベントメッセージを作成することを特徴とする請求項９に記載のイベント記録表示装置。
【請求項１２】
前記イベントデータ作成手段は、前記検索条件設定手段によりデータ検索期間が指定されて検索条件データが選択されたときそのデータ検索期間に発生したイベントメッセージを作成して前記出力手段にイベントメッセージを表示し、前記入力手段は、表示されたイベントメッセージの一部を指し示したマウスポインタからの入力を捉え前記検索条件データに入力点情報と時刻情報とを設定し、前記グラフデータ作成手段は、前記検索条件データの入力点情報と時刻情報及びプラントデータに基づいてイベントメッセージの発生要因となっているデータをグラフまたは帳票形式で前記出力手段に表示することを特徴とする請求項１１記載のイベント記録表示装置。
【発明の詳細な説明】
【技術分野】
【０００１】
本発明は、事業所におけるプラントのイベントを表示記録するためのイベント記録表示装置に関する。
【背景技術】
【０００２】
例えば、事業所としての発電所においては、１号機、２号機といった複数のプラントを有し、各々のプラントは、そのプラントに属する複数の機器から構成されている。そして、プラント毎に制御用計算機及び各種機器制御装置が設けられている。各々のプラントに属する各機器には制御用もしくは監視用の各種センサが取り付けられており、これらのセンサより収集されたデータは、それぞれ制御用計算機または各種機器制御装置にてリアルタイム処理に利用されている。
【０００３】
一方、発電所全体として、通常、１台の管理用計算機が設けられイベント記録表示装置として、時間単位また日単位といった定期間のデータを用いて集計処理を行い、ログデータとして活用したり、特定データに注目してデータの時系列的な傾向の監視を行ったりしている。集計処理では、データの合計、平均、最大、最小などを算出している。
【０００４】
イベント記録表示装置で集計処理されるプラントデータやログデータは、制御用計算機及び各種機器制御装置からイベント記録表示装置に送信され履歴データとして蓄積される。また、プラントの各種センサから収集されるデータから制御用計算機にてプラントの各種イベントを捉えて、メッセージデータを作成し、タイパ出力やデータサーバにイベントメッセージの文字列データとし送信し、履歴データとして蓄積している。
【０００５】
ここで、サイト（事業所）内で収集したプラントデータを即時的にデータセンター側に送信可能とし、送信されたプラントデータをデータセンター側で随時保存して適切に管理可能としたものがある（例えば、特許文献１、２参照）。
【特許文献１】特開２００２−２４４２３号公報
【特許文献２】特開２００２−８２７１５号公報
【発明の開示】
【発明が解決しようとする課題】
【０００６】
しかし、制御用計算機とイベント記録表示装置との伝送は低速な周期伝送であるため、プラントの状態がその伝送周期間隔より短い時間で変化して元の状態に戻った場合には、その経時変化を捉えることができない。
【０００７】
また、制御用計算機でもプラントに付属した各種機器に設置したセンサから上がるデータを集約して管理しているが、プラント状態をすべてメッセージ出力しているわけではなく、データの集約条件によってはセンサからのデータが無視されるケースがある。従って、制御用計算機から出力されるメッセージデータだけでは、すべてのプラント状態変化やイベントを把握することはできないのが実情である。
【０００８】
イベントメッセージはタイパ出力であるため過去のイベントを確認する場合に、タイパ用紙を参照することになるので、目当てのイベントメッセージを確認するのに大変な労力が必要であった。また、イベント記録表示装置のデータサーバに文字列として履歴データ保存しているメッセージデータは定周期伝送であるため定周期の間のメッセージが抜けしまい、プラントで発生したイベントを捉えることができない場合があった。
【０００９】
さらに、目的のメッセージを探し当てても、その要因が複数ある場合には、どの原因によりそのイベントが発生しているのかを調査するためにはすべての要因を調査しなければ発生要因を特定することができないため、大変な労力が必要であった。その他、事業所全体を統合するメッセージ出力が無いことから、事業所全体の運転状況（例えば、ガス排出の量）に関するメッセージや事業所全体の出力値やプラント効率等を容易に把握することができなかった。
【００１０】
本発明の目的は、プラントで発生したすべてのイベントをメッセージデータとして表示あるいは再現することができ、プラントで発生する様々な事象の解析を容易に行うことができるイベント記録表示装置を提供することである。
【課題を解決するための手段】
【００１１】
本発明のイベント記録表示装置は、プラントの監視制御を行う制御用計算機あるいはプラントのセンサで検出されたプラントデータを既定周期で取り込むデータ伝送手段と、前記データ伝送手段で取り込んだプラントデータの蓄積を行うデータ保存手段と、前記データ保存手段に蓄積したプラントデータからオペレータの設定した検索条件データに従いデータ検索を行うデータ検索手段と、前記データ検索手段での検索結果データから予め設定したイベント解釈条件データに従いイベントメッセージを作成するイベントデータ作成手段と、前記イベントデータ作成手段で作成されたイベントメッセージを表示出力する出力手段とを備えたことを特徴とする。
【発明の効果】
【００１２】
本発明によれば、プラントで発生したすべてのイベントをメッセージデータとして表示あるいは再現することができ、プラントで発生する様々な事象の解析を容易に行うことができる。
【発明を実施するための最良の形態】
【００１３】
（第１の実施の形態）
図１は本発明の第１の実施の形態に係わるイベント記録表示装置のブロック構成図である。事業所である発電所内のプラント１１ａ〜１１ｎには、制御用計算機１２ａ〜１２ｎが設けられ、また、各種の制御装置１３が設けられている。プラントデータＤ１〜Ｄｎには、各種のセンサで検出された信号や各種の制御装置１３の出力信号さらには制御用計算機１２ａ〜１２ｎの出力信号が含まれる。
【００１４】
プラント１１ａ〜１１ｎは通信ネットワーク１４を介してイベント記録表示装置１５に接続されている。イベント記録表示装置１５はクライアント端末１６とデータサーバ１７とから構成される。クライアント端末１６は検索条件設定手段と出力手段１９とを有し、データサーバ１７はデータ伝送手段２０、データ保存手段２１、データ検索手段２２、イベントデータ作成手段２３とを有している。
【００１５】
データ伝送手段２０は、プラント１１ａ〜１１ｎの監視制御を行う制御用計算機１２ａ〜１２ｎあるいはプラント１１ａ〜１１ｎのセンサで検出されたプラントデータＤ１〜Ｄｎを通信ネットワーク１４を介して直接的に既定周期で取り込む。データ保存手段２１はデータ伝送手段２０で受信した受信データｄ１をプラントデータ（履歴データ）ｄ２としてメモリに蓄積する。データ検索手段２２はデータ保存手段２１がメモリに蓄積したプラントデータｄ２からデータ検索を行う。この場合、データ検索手段２２はクライアント端末の検索条件設定手段１８からオペレータの設定した検索条件データｄ３に従いデータ検索を行う。イベントデータ作成手段２３はデータ検索手段２２での検索結果データから予め設定したイベント解釈条件データｄ４に従いイベントメッセージを作成し、クライアント端末１６の出力手段１９に表示出力する。
【００１６】
本発明の第１の実施の形態によれば、イベント記録表示装置１５はプラント１１ａ〜１１ｎから直接プラントデータを受信するので、プラント１１ａ〜１１ｎのすべての情報を履歴データｄ２として管理できる。従って、プラント１１ａ〜１１ｎで発生するすべてのイベントをメッセージデータとして表示することが可能となる。
【００１７】
従来は制御用計算機１２ａから伝送される文字列データをメッセージデータとして保管していた。この場合、メッセージデータはすべてのプラントの状態変化を捉えていなかったが、本発明の実施の形態では、プラント１１ａ〜１１ｎのすべての情報を履歴データｄ２として管理できるので、オペレータからの要求により指定期間内で発生したプラントの状態変化をすべてイベントメッセージデータとして表示することが可能となる。
【００１８】
（第２の実施の形態）
図２は本発明の第２の実施の形態に係わるイベント記録表示装置のブロック構成図である。この第２の実施の形態は、図１に示した第１の実施の形態に対し、データサーバ１７にイベントデータ保存手段２４及びイベントデータ保存媒体２５を追加して設けたものである。図１と同一要素には同一符号を付し重複する説明は省略する。
【００１９】
イベントデータ保存手段２４は、イベントデータ作成手段２３が作成したイベントメッセージを履歴データとしてイベントデータ保存媒体２５に保存する。すなわち、プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。イベントデータ作成手段２３は検索結果データから予め設定したイベント解釈条件データｄ４に従い、イベントメッセージを作成する。イベントメッセージ保存手段２４は作成したイベントデータを履歴データとしてイベントデータ保存媒体２５に保存する。
【００２０】
第２の実施の形態によれば、作成したイベントデータを履歴データとしてイベントデータ保存媒体２５に保存するので、従来の紙ベースでの管理に代えて、すべてのメッセージデータを電子データで管理することが可能となる。
【００２１】
（第３の実施の形態）
図３は本発明の第３の実施の形態に係わるイベント記録表示装置のブロック構成図である。この第３の実施の形態は、図１に示した第１の実施の形態に対し、イベント解釈条件設定手段２６を追加して設け、イベント解釈条件設定手段２６は、イベント解釈条件データｄ４として、イベント作成条件と警報条件と演算条件とを設定するようにしたものである。図１と同一要素には同一符号を付し重複する説明は省略する。
【００２２】
イベント解釈条件設定手段２６は、イベント解釈条件データｄ４として、メッセージデータをどの様に作成するかを指定するメッセージ作成条件と、プラントデータを演算処理する演算式を指定する演算条件と、単一または複数のプラントデータの状態変化を判断する基準を指定する警報条件とを設定する。
【００２３】
プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。
【００２４】
イベントデータ作成手段２３は、イベント解釈条件データｄ４の警報条件に従いプラントの各種データの閾値超過などの警報メッセージを作成し、イベント解釈条件データｄ４の演算条件によりプラントの各種データの演算処理を行い、演算結果から演算結果メッセージを作成する。また、プラントで発生するイベントをイベント解釈条件データｄ４のイベント作成条件により判定し、イベントメッセージを作成する。
【００２５】
第３の実施の形態によれば、演算条件、警報条件、イベントデータ作成条件をイベント解釈条件データｄ４に設定することにより、より詳細なイベントメッセージを作成することが可能となる。
【００２６】
（第４の実施の形態）
図４は本発明の第４の実施の形態に係わるイベント記録表示装置のブロック構成図である。この第４の実施の形態は、図３に示した第３の実施の形態に対し、イベント解釈条件設定手段２６は、イベント解釈条件データｄ４として、イベント作成条件、警報条件、演算条件を組み合わせた複合条件を設定するようにしたものである。図３と同一要素には同一符号を付し重複する説明は省略する。
【００２７】
イベント解釈条件設定手段２６は、イベント作成条件、警報条件、演算条件に対して、これらをＡＮＤまたはＯＲで組み合わせた複合条件が成立した場合のメッセージ解釈条件、あるいは設定した複数の条件が時系列に成立した場合のメッセージ解釈条件を設定する。すなわち、メッセージ解釈条件の成立の複数の組み合わせや、時系列に条件がどの順序で成立したかで最終的なイベントメッセージを作成する。図４では、複合条件Ａ、Ｂ、Ｃを設定した場合を示している。
【００２８】
第４の実施の形態によれば、複合条件をイベント解釈条件データに設定することにより、複数のイベントを連続した一つのイベントとして管理するためのイベントメッセージを作成することが可能となる。
【００２９】
（第５の実施の形態）
図５は本発明の第５の実施の形態に係わるイベント記録表示装置のブロック構成図である。この第５の実施の形態は、図４に示した第４の実施の形態に対し、イベント解釈条件設定手段２６は、イベント解釈条件データｄ４として、イベント発生の要因となるデータをイベントメッセージ中に組み込むためのメッセージ構成情報を追加して設定するようにしたものである。図４と同一要素には同一符号を付し重複する説明は省略する。なお、図５ではプラント１１ａ〜１１ｎの図示を省略している。
【００３０】
メッセージ構成情報は、イベント発生の要因となるデータ、例えばアナログ値や接点状態をイベントメッセージ中に組み込むための情報であり、出力するイベントメッセージに対して、そのイベントメッセージが発生した要因を表示するものである。
【００３１】
プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。イベントデータ作成手段２３はメッセージ解釈条件データｄ４に設定された複合条件の各種条件を組み合わせた条件とメッセージ構成情報とによりイベントメッセージを作成する。そして、出力手段１９に対してイベントメッセージ毎にそのイベントメッセージの発生要因を併せて表示する。
【００３２】
第５の実施の形態によれば、メッセージ構成情報をイベント解釈条件データｄ４に設定することにより、イベントとイベントの要因・外因となるアナログ値や接点状態をメッセージ中に組み込んだイベントメッセージを作成することが可能となる。これにより、イベントメッセージの要因が容易に分かる。
【００３３】
（第６の実施の形態）
図６は本発明の第６の実施の形態に係わるイベント記録表示装置のブロック構成図である。この第６の実施の形態は、図４に示した第４の実施の形態に対し、検索条件設定手段１８は、検索条件データｄ３として、検索基準点、検索周期条件、検索繰り返し条件を設定するようにしたものである。図４と同一要素には同一符号を付し重複する説明は省略する。なお、図６ではプラント１１ａ〜１１ｎの図示を省略している。
【００３４】
検索条件設定手段１８から検索条件データｄ３として設定される検索基準点は、データ保存手段２１に蓄積したプラントデータｄ２の検索開始時点を指定するデータである。検索周期条件は、プラントデータｄ２の検索周期を指定したデータである。また、検索繰り返し条件はプラントデータｄ２の検索繰り返しを指定したデータである。
【００３５】
データ検索手段２０は、検索条件設定手段１８により設定された検索基準点、検索周期条件、検索繰り返し条件を基に、データ保存手段２１で蓄積されたプラントデータｄ２のデータ検索を行う。例えば、単一または複数のプラントデータを過去の基準点からデータ検索を行った結果データ、プラントから定周期で伝送されるオンラインデータから予め設定した演算条件により計算処理を行った結果データなどを検索し、その検索データに対して警報条件に定義したレンジまたは値を逸脱または超過した場合にメッセージを作成する。
【００３６】
すなわち、その検索結果データをイベント解釈条件データに設定した演算条件により累積処理し、その結果データが警報条件に設定したレンジもしくは閾値を超過している場合などにイベント作成条件によりイベントメッセージを作成する。図６では検索基準点から現在までの、プラント排出量値（ＮＯｘやＳＯｘの排出量）が基準値を超えたことを示すプラント排出量値基準超過メッセージ、プラント出力値合計メッセージ、プラント効率メッセージ、ある機器の起動回数が超過した回数であることを示す累積起動回数超過メッセージ、ある機器の運転時間が超過して入ることを示す累積運転時間超過メッセージが出力された場合を示している。
【００３７】
第６の実施の形態によれば、例えば過去の基準点からの現在までの累積値に対して、ある一定の水準やレンジを超過した場合、あるいはプラント効率などが基準値に到達した場合にイベントメッセージを作成することが可能となる。従って、過去のプラントの運転実績の解析も容易に行える。
【００３８】
（第７の実施の形態）
図７は本発明の第７の実施の形態に係わるイベント記録表示装置のブロック構成図である。この第７の実施の形態は、図６に示した第６の実施の形態に対し、イベント解釈条件設定手段２６は、イベント解釈条件データｄ４として統合条件を追加して設定するようにしたものである。図６と同一要素には同一符号を付し重複する説明は省略する。
【００３９】
イベント解釈条件データｄ４に設定される統合条件は、複数のプラント１１ａ〜１１ｎから構成される事業場全体を統合したメッセージを作成するためのデータである。プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。
【００４０】
すなわち、データ検索手段２２は、検索条件設定手段１８により設定した検索基準点、検索周期条件、検索繰り返し条件を基にデータ検索を行い、そのデータ検索結果をイベント解釈条件データｄ４に設定された統合条件及び複合条件により、各プラント別に累積処理した結果データから事業所全体の値を算出する。そして、警報条件に設定したレンジもしくは閾値を超過している場合などにイベント作成条件によりイベントメッセージを作成する。これにより、複数のプラントから構成される事業場全体を統合したメッセージを作成する。
【００４１】
第７の実施の形態によれば、事業所全体の過去基準点からの現在までの累積値がある一定の水準やレンジを超過した場合や、事業所全体の排出量（ＳＯｘやＮＯｘ等の排出量）合計が環境基準値などに到達した場合にイベントメッセージを作成することが可能となる。
【００４２】
（第８の実施の形態）
図８は本発明の第８の実施の形態に係わるイベント記録表示装置のブロック構成図である。事業所である発電所内のプラント１１ａ〜１１ｎには、制御用計算機１２ａ〜１２ｎが設けられ、制御用計算機１２ａ〜１２ｎはプラントデータを取り込み、日単位でログデータＬＤ１〜ＬＤｎを計算して出力している。
【００４３】
制御用計算機１２ａ、１２ｎは通信ネットワーク１４を介してイベント記録表示装置１５に接続されている。イベント記録表示装置１５はクライアント端末１６とデータサーバ１７とから構成される。クライアント端末１６は検索条件設定手段と出力手段１９とを有し、データサーバ１７はデータ伝送手段２０、データ保存手段２１、データ検索手段２２、イベントデータ作成手段２３とを有している。
【００４４】
データ伝送手段２０は、プラント１１ａ〜１１ｎの監視制御を行う制御用計算機１２ａ〜１２ｎからのログデータＬＤ１〜ＬＤｎを通信ネットワーク１４を介して直接的に既定周期で取り込む。データ保存手段２１はデータ伝送手段２０で受信した受信データｄ１をログデータ（履歴データ）ｄ５としてメモリに蓄積する。データ検索手段２２はデータ保存手段２１がメモリに蓄積したログデータｄ５からデータ検索を行う。この場合、データ検索手段２２はクライアント端末の検索条件設定手段１８からオペレータの設定した検索条件データｄ３に従いデータ検索を行う。イベントデータ作成手段２３はデータ検索手段２２での検索結果データから予め設定したイベント解釈条件データｄ４に従いイベントメッセージを作成し、クライアント端末１６の出力手段１９に出力する。
【００４５】
第８の実施の形態によれば、各プラント１１ａ〜１１ｎの制御用計算機１２ａ、１２ｎで作成したログデータＬＤ１〜ＬＤｎから事業所全体の１日の出力合計値などの演算処理した結果をメッセージデータとして表示することが可能となる。
【００４６】
（第９実施の形態）
図９は本発明の第９の実施の形態に係わるイベント記録表示装置のブロック構成図である。この第９の実施の形態は、図４に示した第４の実施の形態に対し、イベント解釈条件設定手段２６は、あるイベントが成立した場合に次に連続して成立する一連のイベントを規定するシナリオ条件を追加して設定するようにしたものである。図４と同一要素には同一符号を付し重複する説明は省略する。なお、図９ではプラント１１ａ〜１１ｎの図示を省略している。
【００４７】
シナリオ条件は、あるイベントが成立した場合に次に成立するイベントを何種類か設定し、連続して成立する一連のイベントを判定する条件を規定するものである。
【００４８】
プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。イベントデータ作成手段２３はメッセージ解釈条件データｄ４に設定された各種条件を組み合わせた複合条件とシナリオ条件とによりイベントメッセージを作成する。そして、出力手段１９に対して連続して成立する一連のイベントのイベントメッセージを表示する。
【００４９】
第９の実施の形態によれば、シナリオ条件をイベント解釈条件データに設定し、プラントの起動や停止などの一連のイベントをシナリオ条件成立により判定するので、過去の基準点から現在までに、シナリオが成立した回数や何時成立したかをメッセージデータとして出力することが可能となる。
【００５０】
すなわち、蓄積されている過去のある期間または現在からある時点までのプラントデータを取り出し、メッセージ作成条件に従いメッセージを作成するので、過去ある期間また現在から過去ある時点までにプラントで発生した事象を把握できる。また、過去のある時点または現在発生しているイベントの要因を把握できる。
【００５１】
（第１０の実施の形態）
図１０は本発明の第１０の実施の形態に係わるイベント記録表示装置のブロック構成図である。この第１０の実施の形態は、図６に示した第６の実施の形態に対し、イベント解釈条件設定手段２６は、プラントデータを予測演算処理する予測演算式を指定する予測演算条件を追加して設定するようにしたものである。図６と同一要素には同一符号を付し重複する説明は省略する。なお、図１０ではプラント１１ａ〜１１ｎの図示を省略している。
【００５２】
プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。イベントデータ作成手段２３はメッセージ解釈条件データｄ４に設定された複合条件の各種条件を組み合わせた条件と予測演算条件とによりイベントメッセージを作成する。例えば、過去のある時点から定周期でデータ検索を行い、オンラインでの定周期データ検索を継続し、検索データに基づいて予測演算を行い、閾値超過予測や定期検査日予測メッセージを作成する。このイベントメッセージは、例えば、プラント合計排気量基準超過予測メッセージ、機器の起動回数超過予測メッセージ、運転時間超過予測メッセージなどである。そして、出力手段１９に対してイベントメッセージとして表示する。
【００５３】
第１０の実施の形態によれば、予測演算条件をイベント解釈条件データｄ４に設定することにより、各種機器の累計値から未来の何時ごろ累計値が定期検査を実施する基準を超過するかを示すイベントメッセージを作成することが可能となる。
【００５４】
（第１１の実施の形態）
図１１は本発明の第１１の実施の形態に係わるイベント記録表示装置のブロック構成図である。この第１１の実施の形態は、図９に示した第９の実施の形態に対し、プラントデータに基づいてグラフデータを作成するグラフデータ作成手段２７と、出力手段１９の画面上のマウスポインタからの入力を捉え検索条件データｄ３に入力点情報と時刻情報とを設定する入力手段２８とを追加して設けたものである。図９と同一要素には同一符号を付し重複する説明は省略する。
【００５５】
図１１に示すように、データサーバ１７にグラフデータを作成するグラフデータ作成手段２７を備え、クライアント端末１６に出力手段１９の画面上のマウスポインタからの入力を捉えて検索条件データｄ３に入力点情報と時刻情報とを設定する入力手段２８を備えている。
【００５６】
プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。
【００５７】
グラフデータ作成手段２７は、検索されたプラントデータに基づいてグラフデータとしてクライアント端末１６の出力手段１９に表示出力する。オペレータは、表示されたグラフデータの特異点をマウスなどのデバイスで指し示すことにより、入力手段２８はそのグラフの入力点情報と、指し示めした位置の時刻情報とを検索条件データｄ３に設定する。
【００５８】
イベントデータ作成手段２３は、検索条件データｄ３に設定された入力点情報と時刻情報、及びイベント解釈条件データｄ４により、そのグラフで発生しているイベントメッセージを作成する。そして、そのイベントメッセージをグラフデータ上に出力する。
【００５９】
このように、クライアント端末１６の検索条件設定手段１８により設定した検索条件に従い、プラントデータの検索を行い、その検索結果をクライアント端末１６の出力手段１９によりグラフ表示を行う。それに合わせて履歴データとして保存しているメッセージにデータについても、クライアント端末１６で表示したグラフの各プロットを指定することにより、その時点で発生しているイベントメッセージを表示する。これにより、プラントデータの特異点の解析を容易にできるようにしている。
【００６０】
第１１の実施の形態によれば、プラントデータのグラフを表示した際に、特異点や注目すべき兆候を示す部分をマウスなどで指し示すことにより、そこで発生しているイベントをグラフ中に表示することで、特異点の発生要因を把握することが容易になる。
【００６１】
（第１２の実施の形態）
図１２は本発明の第１２の実施の形態に係わるイベント記録表示装置のブロック構成図である。この第１２の実施の形態は、図１１に示した第１１の実施の形態に対し、出力手段１９の画面上に表示されたグラフの一部を指し示したマウスポインタからの入力を捉え検索条件データに入力点情報と時刻情報とを設定し、イベントデータ作成手段はそのグラフで発生しているイベントメッセージを作成することに代えて、出力手段１９の画面上に表示されたイベントメッセージの一部を指し示したマウスポインタからの入力を捉え検索条件データに入力点情報と時刻情報とを設定し、グラフデータ作成手段はそのイベントメッセージの発生要因となっているデータをグラフまたは帳票形式で出力手段１９に表示するようにしたものである。図１１と同一要素には同一符号を付し重複する説明は省略する。
【００６２】
データサーバ１７にグラフデータ及び帳票データを作成するグラフデータ作成手段２７を備え、クライアント端末１６に出力手段１９の画面上のマウスポインタからの入力を捉えて検索条件データｄ３に入力点情報と時刻情報とを設定する入力手段２８を備えている。また、検索条件設定手段１８は検索条件データｄ３に検索期間情報を設定し、イベント解釈条件設定手段２６は、表示するイベントメッセージを絞り込むためのユーザ選択条件をイベント解釈条件データｄ４に設定できるようになっている。
【００６３】
プラント１１ａ〜１１ｎからのプラントデータＤ１〜Ｄｎは、通信ネットワーク１４を経由してデータサーバ１７のデータ伝送手段２０に送信され、データ保存手段２１により履歴データｄ２として保存される。データ検索手段２２はクライアント端末１６の検索条件設定手段１８により設定した検索条件データｄ３に従い保存した履歴データｄ２を検索する。
【００６４】
イベントデータ作成手段２３はメッセージ解釈条件データｄ４に設定された複合条件の各種条件を組み合わせた条件とユーザ選択条件、さらに検索条件設定手段１８により設定された検索期間情報によりイベントメッセージを作成し、出力手段１９に表示出力する。これにより、検索条件設定手段１８により指定された検索期間中のイベントメッセージが表示される。
【００６５】
この状態で、オペレータがマウスなどのデバイスで、出力手段１９の画面上に表示されたイベントメッセージの一部を指し示したとすると、入力手段２８は、そのマウスポインタからの入力を捉え検索条件データに入力点情報と時刻情報とを設定する。グラフデータ作成手段２７は、そのイベントメッセージの要因となる入力点のグラフもしくは帳票を出力手段１９に表示出力する。
【００６６】
ここで、検索期間中のイベントが大量である場合には、イベント解釈条件設定手段２６によりイベントを絞り込むためのユーザ選択条件をイベント解釈条件データｄ４に設定する。
【００６７】
第１２の実施の形態によれば、対象となる期間に発生したイベントから、イベントの要因となるプラントデータのグラフ及び帳票表示できるので、プラントトリップや各機器の故障要因の特定が容易になる。
【図面の簡単な説明】
【００６８】
【図１】本発明の第１の実施の形態に係わるイベント記録表示装置のブロック構成図。
【図２】本発明の第２の実施の形態に係わるイベント記録表示装置のブロック構成図。
【図３】本発明の第３の実施の形態に係わるイベント記録表示装置のブロック構成図。
【図４】本発明の第４の実施の形態に係わるイベント記録表示装置のブロック構成図。
【図５】本発明の第５の実施の形態に係わるイベント記録表示装置のブロック構成図。
【図６】本発明の第６の実施の形態に係わるイベント記録表示装置のブロック構成図。
【図７】本発明の第７の実施の形態に係わるイベント記録表示装置のブロック構成図。
【図８】本発明の第８の実施の形態に係わるイベント記録表示装置のブロック構成図。
【図９】本発明の第９の実施の形態に係わるイベント記録表示装置のブロック構成図。
【図１０】本発明の第１０の実施の形態に係わるイベント記録表示装置のブロック構成図。
【図１１】本発明の第１１の実施の形態に係わるイベント記録表示装置のブロック構成図。
【図１２】本発明の第１２の実施の形態に係わるイベント記録表示装置のブロック構成図。
【符号の説明】
【００６９】
１１…プラント、１２…制御用計算機、１３…制御装置、１４…通信ネットワーク、１５…イベント記録表示装置、１６…クライアント端末、１７…データサーバ、１８…検索条件設定手段、１９…出力手段、２０…データ伝送手段、２１…データ保存手段、２２…データ検索手段、２３…イベントデータ作成手段、２４…イベントメッセージ保存手段、２５…イベントデータ保存媒体、２６…イベント解釈条件設定手段、２７…グラフデータ作成手段、２８…入力手段
【図１】
2009251777.tif 000003
【図２】
2009251777.tif 000004
【図３】
2009251777.tif 000005
【図４】
2009251777.tif 000006
【図５】
2009251777.tif 000007
【図６】
2009251777.tif 000008
【図７】
2009251777.tif 000009
【図８】
2009251777.tif 000010
【図９】
2009251777.tif 000011
【図１０】
2009251777.tif 000012
【図１１】
2009251777.tif 000013
【図１２】
2009251777.tif 000014